(57)【要約】【課題】１つの光ピックアップのみが挿入可能なディスクカートリッジが装着された時に、２つの光ピックアップのうちの、そのディスクカートリッジに対応しない光ピックアップがそのディスクカートリッジによって破損されることを未然に防止すること。【解決手段】２つの光ピックアップ１１、１２のうちの１ヘッド用の第２の光ディスクカートリッジ３４には対応されていない１つの光ピックアップ１２をデータ記録及び／又は再生エリアＰ２外の退避位置Ｐ３へ退避させておき、２つの光ピックアップ１１、１２に共に対応される２ヘッド用の第１の光ディスクカートリッジ３４が装着された時に、１つの光ピックアップ１２を退避位置Ｐ３からデータ記録及び／又は再生エリアＰ２内へ移動制御して、２つの光ピックアップ１１、１２で光ディスク３２を同時に記録及び／又は再生し、１ヘッド用の第２の光ディスクカートリッジ３４が装着される場合には、他方の光ピックアップ１２を退避位置Ｐ３へ退避させたまま、一方の光ピックアップ１１のみでデータ記録及び／又は再生を行う光ディスクドライブ装置。【選択図】        図１
2004310876.tif 000002
【特許請求の範囲】
【請求項１】
ベース上にデータの記録及び／又は再生用の第１、第２の２つのヘッドが搭載され、
内部にディスクが収納され、前記第１、第２の２つのヘッドに対応された２つのヘッド挿入用開口部が底部に開口されている２ヘッド用ディスクカートリッジと、内部にディスクが収納され、前記第１、第２の２つのヘッドのうちの第１のヘットに対応された１つのヘッド挿入用開口部が底部に開口されている１ヘッド用ディスクカートリッジとの２種類のディスクカートリッジが交換可能に装着されるように構成されたディスクドライブ装置において、
前記第１、第２のヘッドのうち、前記２ヘッド用ディスクカートリッジ専用の第２のヘッドを前記１ヘッド用ディスクカートリッジに干渉されない退避位置と、前記２ヘッド用ディスクカートリッジのディスクのデータ記録及び／又は再生エリアとの間で移動制御する手段を備え、
前記第２のヘッドが前記退避位置に退避されている状態で、前記２種類のディスクカートリッジが前記ベース上に交換可能に装着されるように構成され、
前記２種類のディスクカートリッジが交換可能に装着される際に、これら２種類のディスクカートリッジに共通の前記第１のヘッドによってディスクの情報読み取ることにより、前記２種類のディスクカートリッジが前記２ヘッド用ディスクカートリッジと前記１ヘッド用ディスクカートリッジの何れであるかを判別するモードと、
装着された前記ディスクカートリッジが前記２ヘッド用ディスクカートリッジであると判別された時には、そのディスクカートリッジの装着後に、前記退避位置に退避されている前記他方のヘッドをディスクのデータ記録及び／又は再生エリア内へ移動させて、前記第１、第２の２つのヘッドでディスクを同時に記録及び／又は再生するモードと、
装着された前記ディスクカートリッジが前記１ヘッド用ディスクカートリッジであると判別された時には、そのディスクカートリッジの装着後に、前記他方のヘッドを前記退避位置に退避させたまま、前記第１のヘッドのみでディスクを記録及び／又は再生するモードとを備えた
ことを特徴とする請求項１に記載のディスクドライブ装置。
【請求項２】
前記第２のヘッドを前記退避位置と前記データ記録及び／又は再生エリアとの間で水平方向に平行に移動制御する手段を備えた
ことを特徴とする請求項１に記載のディスクドライブ装置。
【請求項３】
前記第２のヘッドを前記退避位置と前記データ記録及び／又は再生エリアとの間で垂直方向に平行に移動制御する手段を備えた
ことを特徴とする請求項１に記載のディスクドライブ装置。
【請求項４】
前記第２のヘッドを前記退避位置と前記データ記録及び／又は再生エリアとの間で揺動運動によって移動制御する手段を備えた
ことを特徴とする請求項１に記載のディスクドライブ装置。
【発明の詳細な説明】
【０００１】
【発明の属する技術分野】
本発明は、ベース上にデータの記録及び／又は再生用の２つのヘッドが搭載され、その２つのヘッドに対応された２ヘッド用ディスクカートリッジと、その２つのヘッドのうちの一方のみに対応された１ヘッド用ディスクカートリッジとを交換可能に装着してデータの記録及び／又は再生を行うことができるディスクドライブ装置の技術分野に属するものである。
【０００２】
【従来の技術】
従来から、光ディスクドライブ装置では、ベース上に２種類の光ピックアップを搭載して、このベース上に選択的に装着される２種類のディスクを２種類の光ピックアップの一方によって選択的に記録及び／又は再生するようになされたものがある（例えば、特許文献１、２、３）。
【特許文献１】
特開平８−２２１８９０号公報
【特許文献２】
特開平９−  １７１５５号公報
【特許文献３】
特開２００１−３９３５８号公報
【０００３】
【発明が解決しようとする課題】
しかし、ベース上に２つのヘッドを搭載しておき、その２つのヘッドに対応された２つのヘッド挿入用開口部が底部に開口されている２ヘッド用ディスクカートリッジと、２つのヘッドのうちの一方に対応された１つのヘッド挿入用開口部が底部に開口されている１ヘッド用ディスクカートリッジとの２種類のディスクカートリッジを交換可能に装着して、これら２種類のディスクカートリッジを２ヘッドと１ヘッドとによって選択的に記録及び／又は再生するディスクドライブ装置は未だ開発されていない。
【０００４】
そして、このように、２ヘッド用ディスクカートリッジと１ヘッド用ディスクカートリッジとの２種類のディスクカートリッジを交換可能に装着して、２ヘッドと１ヘッドとによって選択的に記録及び／又は再生するディスクドライブ装置においては、１ヘッド用ディスクカートリッジが装着された時に、２ヘッドのうちの１ヘッド用ディスクカートリッジの底部の開口部に対応されていない他方のヘッドに１ヘッド用ディスクカートリッジの底部が衝突されて、その他方のヘッドが破損される危険がある。
【０００５】
本発明は、上記の問題を解決するためになされたものであって、ベース上に２つのヘッドが搭載されていて、その２つのヘッドに対応された２つのヘッド挿入用開口部が底部に開口されている２ヘッド用ディスクカートリッジと、２つのヘッドのうちの一方に対応された１ヘッド挿入用開口部が底部に開口されている１ヘッド用ディスクカートリッジとの２種類のディスクカートリッジが交換可能に装着されて、これら２種類のディスクカートリッジを２ヘッドと１ヘッドとによって選択的に記録及び／又は再生するディスクドライブ装置において、１ヘッド用ディスクカートリッジが装着された時に、２ヘッドのうちの１ヘッド用ディスクカートリッジに対応しない他方のヘッドがその１ヘッド用ディスクカートリッジの底部に干渉されて破損されることを未然に防止することができるようにしたディスクドライブ装置を提供することを目的としている。
【０００６】
【課題を解決するための手段】
上記の目的を達成するための本発明のディスクドライブ装置は、ベース上にデータの記録及び／又は再生用の第１、第２の２つのヘッドが搭載され、内部にディスクが収納され、前記第１、第２の２つのヘッドに対応された２つのヘッド挿入用開口部が底部に開口されている２ヘッド用ディスクカートリッジと、内部にディスクが収納され、前記第１、第２の２つのヘッドのうちの第１のヘットに対応された１つのヘッド挿入用開口部が底部に開口されている１ヘッド用ディスクカートリッジとの２種類のディスクカートリッジが交換可能に装着されるように構成されたディスクドライブ装置において、前記第１、第２のヘッドのうち、前記２ヘッド用ディスクカートリッジ専用の第２のヘッドを前記１ヘッド用ディスクカートリッジに干渉されない退避位置と、前記２ヘッド用ディスクカートリッジのディスクのデータ記録及び／又は再生エリアとの間で移動制御する手段を備え、前記第２のヘッドが前記退避位置に退避されている状態で、前記２種類のディスクカートリッジが前記ベース上に交換可能に装着されるように構成され、前記２種類のディスクカートリッジが交換可能に装着される際に、これら２種類のディスクカートリッジに共通の前記第１のヘッドによってディスクの情報読み取ることにより、前記２種類のディスクカートリッジが前記２ヘッド用ディスクカートリッジと前記１ヘッド用ディスクカートリッジの何れであるかを判別するモードと、装着された前記ディスクカートリッジが前記２ヘッド用ディスクカートリッジであると判別された時には、そのディスクカートリッジの装着後に、前記退避位置に退避されている前記他方のヘッドをディスクのデータ記録及び／又は再生エリア内へ移動させて、前記第１、第２の２つのヘッドでディスクを同時に記録及び／又は再生するモードと、  装着された前記ディスクカートリッジが前記１ヘッド用ディスクカートリッジであると判別された時には、そのディスクカートリッジの装着後に、前記他方のヘッドを前記退避位置に退避させたまま、前記第１のヘッドのみでディスクを記録及び／又は再生するモードとを備えたものである。
【０００７】
上記のように構成された本発明のディスクドライブ装置は、第１、第２の２つのヘッドのうちの、２ヘッド用ディスクカートリッジ専用の第２ヘッドを１ヘッド用ディスクカートリッジに干渉されない退避位置へ予め退避させた状態で、２ヘッド用ディスクカートリッジと１ヘッド用ディスクカートリッジとの２種類のディスクカートリッジが交換可能に装着されるように構成し、その際、２種類のディスクカートリッジに共通の第１のヘッドによってディスクの上方を読み取ることにより、２ヘッド用ディスクカートリッジが装着されたことを判別した時には、第２のヘッドを退避位置からデータ記録及び／又は再生エリア内へ移動させて、その２ヘッド用ディスクカートリッジのディスクを第１、第２の２つのヘッドで同時に記録及び／又は再生するようにし、１ヘッド用ディスクカートリッジが装着されたことを判別した時には、第２のヘッドを退避位置へ退避させたまま、その１ヘッド用ディスクカートリッジのディスクを第１のヘッドでデータ記録及び／又は再生するようになされたものである。
【０００８】
【発明の実施の形態】
以下、本発明を光ディスクドライブ装置に適用した実施の形態につき図を参照して説明する。
【０００９】
［第１の実施の形態］
初めに、図１〜図５によって、ディスクドライブ装置である光ディスクドライブ装置の第１の実施の形態について説明する。
この光ディスクドライブ装置１のベース２上のほぼ中央部にスピンドルモータ３が搭載されていて、そのスピンドルモータ３の上端部がディスクテーブル４に構成されている。
そして、ベース２上で、スピンドルモータ３の前後両側位置に第１、第２の２つのヘッドである第１、第２の２つの光ピックアップ１１、１２が搭載されている。なお、これら第１、第２の光ピックアップ１１、１２はそれぞれ対物レンズ１３、１４が２軸アクチュエータ１５、１６を介してスレッド１７、１８上に搭載されていて、スレッド１７、１８はガイド主軸１９、２０及びガイド副軸２１、２２で案内されて、ヘッド移送機構であるスレッド移送機構２３、２４によって矢印ａ、ｂ方向及び矢印ｃ、ｄ方向で示す水平方向に移送されるように構成されている。なお、スレッド移送機構２３、２４は、例えば、駆動モータ２５によってギアトレイン（歯車列）２６を介して駆動されるピニオン２７でスレッド１７、１８に固着されているラック２８を駆動する方式が採用されている。
【００１０】
一方、この光ディスクドライブ装置１のベース２上には、それぞれ記録媒体である第１、第２の光ディスク３１、３２が内部に水平状に収納されている第１、第２の２つの光ディスクカートリッジ３３、３４が交換可能に構成されている。そして、２ヘッド用ディスクカートリッジである第１の光ディスクカートリッジ３３の底部３３ａには、中央部にほぼ円形状のディスクテーブル挿入用開口部３５が形成されていて、そのディスクテーブル挿入用開口部３５の前後両側位置には、第１、第２の光ピックアップ１１、１２に対応された長穴形状のヘッド挿入用開口部である第１、第２の光ピックアップ挿入用開口部３６、３７が形成されている。なお、これら第１、第２の光ピックアップ挿入用開口部３６、３７の前後両端は第１の光ディスクカートリッジ３３の前後両端部３３ａ、３３ｂまで切り欠かれている。
そして、１ヘッド用ディスクカートリッジである第２の光ディスクカートリッジ３４の底部３４ａには、中央にほぼ半円形状のディスクテーブル挿入用開口部３８が形成されていて、そのディスクテーブル挿入用開口部３８の前側位置に第１の光ピックアップ１１に対応された長穴形状のヘッド挿入用開口部である光ピックアップ挿入用開口部３９のみが形成されている。
【００１１】
そして、第１の光ピックアップ１１は第１、第２の光ディスク３１、３２のデータ記録及び／又は再生エリア（動作位置）Ｐ１内で、第１、第２の光ディスク３１、３２の半径方向である矢印ａ、ｂ方向に移送されるように構成されている。また、第２の光ピックアップ１２は第２の光ディスク３２のデータ記録及び／又は再生エリア（動作位置）Ｐ２内で矢印ｃ、ｄ方向に移送されると共に、そのデータ記録及び／又は再生エリアＰ２から第２の光ディスクカートリッジ３３の後端３４ｃより外側の位置に設定された退避位置Ｐ３まで矢印ｅ、ｆ方向に移動制御されるように構成されている。このために、第２の光ピックアップ１２を移送するスレッド移送機構２４のガイド主軸２０及びガイド副軸２２の長さが第１の光ピックアップ１１を移送するスレッド移送機構２３のガイド主軸１９及びガイド副軸２１の長さより長く設定されている。このスレッド移送機構２４が第２の光ピックアップ１２をデータ記録及び／又は再生エリアＰ２と退避位置Ｐ３との間で水平方向に平行に移動制御する手段に形成されている。
【００１２】
次に、図５に示したフローチャート図を参照しながら、第１、第２の光ディスクカートリッジ３３、３４の交換可能な装着動作と、第２の光ピックアップ１２の移動制御動作について説明する。
初めに、図１と図２、図３と図４にそれぞれ示すように、第１、第２の光ディスクカートリッジ３３、３４がベース２上に交換可能に選択的に装着される際、少なくともこれら第１、第２の光ディスクカートリッジ３３、３４がベース２上に上下から垂直に下降される前に、第２の光ピックアップ１２がデータ記録及び／又は再生エリアＰ２から退避位置Ｐ３へ退避されていること（Ｓ００１）が条件となる。
即ち、例えば、フロントローディング方式の光ディスクドライブ装置１であれば、第１、第２の光ディスクカートリッジ３３、３４がフロントパネルのカートリッジ挿入口からディスクローディング装置（何れも図示せず）内に水平に引き込まれたことを検出して、第２の光ピックアップ１２をデータ記録及び／又は再生エリアＰ２から退避位置Ｐ３へ移動させ、この後に、第１、第２の光ディスクカートリッジ３３、３４を垂直に下降させてベース２上に装着することも可能である。
【００１３】
そして、何れにしても、第１、第２の光ディスクカートリッジ３３、３４の光ディスクドライブ装置１内への挿入検出（Ｓ００２）を行った後に、第１、第２の光ディスクカートリッジ３３、３４の垂直下降によるベース２上への装着完了後に、ディスクテーブル４上に装着された第１、第２の光ディスク３１、３２をスピンドルモータ３によって回転駆動して、これら第１、第２の光ディスク３１、３２の情報を第１の光ピックアップ１１によって読み取って（Ｓ００３）、装着された光ディスクカートリッジが第１、第２の光ディスクカートリッジ３３、３４の何れであるかを判別（Ｓ００４）する。
【００１４】
そして、今回装着されたディスクカートリッジが図３及び図４に示すように、１光ピックアップ用（１ヘッド用）の第２の光ディスクカートリッジ３４であることが判別された時には、第２の光ピックアップ１２を退避位置Ｐ３にそのまま退避（固定）した状態（Ｓ００５）で、一方（１つ目）の光ピックアップである第１の光ピックアップ１１のみをデータ記録及び／又は再生エリア（動作位置）Ｐ１内でスレッド移送機構２３によって第１の光ディスク３２の半径方向である矢印ａ、ｂ方向に移動制御（Ｓ００６）して、その第２の光ディスク３２にデータ記録及び／又は再生する。
【００１５】
他方、今回装着されたディスクカートリッジが、図１及び図２に示すように、２光ピックアップ用（２ヘッド用）の第１の光ディスクカートリッジ３３であることが判別された時には、第２の光ピックアップ１２を退避位置Ｐ３からデータ記録及び／又は再生エリア（動作位置）Ｐ２内までスレッド移送機構２４によって矢印ｆ方向へ移動制御（Ｓ００７）する。そして、第１、第２の光ピックアップ１１、１２をそれぞれデータ記録及び／又は再生エリアＰ１、Ｐ２内で、スレッド移送機構２３、２４によって第１の光ディスク３１の半径方向である矢印ａ、ｂ方向と、矢印ｃ、ｄ方向に同時に移動制御（Ｓ００８）して、これら第１、第２の光ピックアップ１１、１２によって第１の光ディスク３１にデータを同時に記録及び／又は再生する。
【００１６】
以上のように構成された光ディスクドライブ装置１の第１の実施の形態によれば、第２の光ピックアップ挿入用開口部３７が形成されていない１ヘッド用ディスクカートリッジである第２の光ディスクカートリッジ３４が装着された時に、第２の光ピックアップ１２がその第２の光ディスクカートリッジ３４の底部３４ａに不用意に当接されて破損される等のダメージを受けてしまうことを未然に防止することができ、安全性が非常に高い。
【００１７】
［第２の実施の形態］
図６は光ディスクドライブ装置１の第２の実施の形態を示したものであって、第２の光ピックアップ１２が搭載されたスレッド１８をガイド主軸２０及びガイド副軸２２で案内して矢印ｃ、ｄ方向へ移送するスレッド移送機構２４の全体を昇降台４１上に搭載して、その昇降台４１を図示省略したベース２に対して上昇位置である第１の光ディスクカートリッジ３３内のデータ記録及び／又は再生エリアＰ２と下降位置である退避位置Ｐ３との間で昇降駆動機構４２によって垂直方向である矢印ｇ、ｈ方向に平行に移動制御するように構成したものである。
【００１８】
［第３の実施の形態］
図７は光ディスクドライブ装置１の第３の実施の形態を示したものであって、第２の光ピックアップ１２が搭載されたスレッド１８をガイド主軸２０及びガイド副軸２２で案内して矢印ｃ、ｄ方向へ移送するスレッド移送機構２４の全体を揺動台４４上に搭載して、その揺動台４４をベース２に対して上昇位置である第１の光ディスクカートリッジ３３内のデータ記録及び／又は再生エリアＰ２と下降位置である退避位置Ｐ３との間で揺動駆動機構４５によって揺動支点４６を中心に垂直方向である矢印ｉ、ｊ方向に揺動運動によって移動制御するように構成したものである。
【００１９】
以上のように構成された本発明のディスクドライブ装置は、上記した実施の形態に限定されることなく、本発明の技術的思想に基づいて各種の有効な変更が可能である。
【００２０】
【発明の効果】
以上のように構成された本発明のディスクドライブ装置は、第１、第２の２つのヘッドのうちの、２ヘッド用ディスクカートリッジ専用の第２ヘッドを１ヘッド用ディスクカートリッジに干渉されない退避位置へ予め退避させた状態で、２ヘッド用ディスクカートリッジと１ヘッド用ディスクカートリッジとの２種類のディスクカートリッジが交換可能に装着されるように構成し、その際、２種類のディスクカートリッジに共通の第１のヘッドによってディスクの上方を読み取ることにより、２ヘッド用ディスクカートリッジが装着されたことを判別した時には、第２のヘッドを退避位置からデータ記録及び／又は再生エリア内へ移動させて、その２ヘッド用ディスクカートリッジのディスクを第１、第２の２つのヘッドで同時に記録及び／又は再生するようにし、１ヘッド用ディスクカートリッジが装着されたことを判別した時には、第２のヘッドを退避位置へ退避させたまま、その１ヘッド用ディスクカートリッジのディスクを第１のヘッドでデータ記録及び／又は再生するようになされているので、第１第２の２つのヘッドによってディスクを同時に記録及び／又は再生することができるディスクドライブ装置でありながら、１ヘッド用ディスクカートリッジが装着された時に、２ヘッド専用の第２のヘッドがその１ヘッド用ディスクカートリッジによって破損される等のダメージを受けることが皆無であり、安全性が非常に高い。
【００２１】
そして、１ヘッド用と２ヘッド用の２種類のディスクカートリッジがベース上に装着されるべく下降される前に第２のヘッドを退避位置へ退避させておくことにより、安全性が更に向上する。
【００２２】
そして、ベース上に装着されたディスクカートリッジが１ヘッド用ディスクカートリッジと２ヘッド用ディスクカートリッジの何れであるかを判別して、２ヘッド用ディスクカートリッジが装着された時には、第２のヘッドを退避位置からディスクのデータ記録及び／又は再生エリアへ移動させた後に、第１、第２の２つのヘッドでディスクを同時に記録及び／又は再生し、１ヘッド用ディスクカートリッジが装着された時には、第２のヘッドを退避位置に退避させたまま、第１のヘッドのみでディスクを記録及び／又は再生するので、安全性及び信頼性が非常に高い。
【００２３】
第２のヘッドを退避位置とデータ記録及び／又は再生エリアとの間で水平方向に移動制御する手段では、ヘッド移送機構のガイド主軸とガイド副軸の長さを延長するだけで、簡単に構成することができ、構造及び製造が簡単である。
【図面の簡単な説明】
【図１】本発明が適用された光ディスクドライブ装置の第１の実施の形態を説明する２ヘッド用ディスクカートリッジが装着された状態を示した平面図である。
【図２】図１のＡ−Ａ矢視での一部切欠き側面図である。
【図３】本発明が適用された光ディスクドライブ装置の第１の実施の形態を説明する１ヘッド用ディスクカートリッジが装着された状態を示した平面図である。
【図４】図３のＢ−Ｂ矢視での一部切欠き側面図である。
【図５】本発明が適用された光ディスクドライブ装置の動作モードを説明するフローチャート図である。
【図６】本発明が適用された光ディスクドライブ装置の第２の実施の形態を説明する概略側面図である。
【図７】本発明が適用された光ディスクドライブ装置の第３の実施の形態を説明する概略側面図である。
【符号の説明】
１はディスクドライブ装置である光ディスクドライブ装置、２はベース、１１は第１のヘッドである第１の光ピックアップ、１２は第２のヘッドである第２の光ピックアップ、２３、２４はヘッド移送機構であるスレッド移送機構、３１は第１の光ディスク、３２は第２の光ディスク、３３は２ヘッド用ディスクカートリッジである第１の光ディスクカートリッジ、３４は１ヘッド用ディスクカートリッジである第２の光ディスクカートリッジ、３６、３９はヘッド挿入用開口部である第１の光ピックアップ挿入用開口部、３７はヘッド挿入用開口部である第２の光ピックアップ挿入用開口部、４１は昇降台、４２は昇降駆動手段、４４は揺動台、４５は揺動駆動機構である。
【図１】
2004310876.tif 000003
【図２】
2004310876.tif 000004
【図３】
2004310876.tif 000005
【図４】
2004310876.tif 000006
【図５】
2004310876.tif 000007
【図６】
2004310876.tif 000008
【図７】
2004310876.tif 000009